(57)【要約】【課題】操作パネルの操作部と操作パネル受けの隙間から進入する水を防ぐことができ、さらに構成の簡素化ができる。【解決手段】操作パネル７を構成している、操作部８にリブ１４と操作パネル受け１１に設けた操作部８に設けたリブ１４の２倍以上幅の溝１５を備えた構造とすることにより、操作部８と操作パネル受け１１の隙間から進入する水を防ぎ、操作部８と操作パネル受け１１の隙間から進入した水が細管現象で進行するのを、操作部８に設けたリブ１４の２倍以上幅の溝１５により設けられた空間により防ぐことを特徴とする。【選択図】図５
2007139306.tif 000002
【特許請求の範囲】
【請求項１】
電子機器に装着される表面に印刷シートをインサート成型した操作部と、前記操作部を取り付けるための操作パネル受けとを備え、前記操作部と前記操作パネル受けの接する面に、リブと前記リブの２倍以上幅の溝を設けることにより、水の浸入を防ぐ構造を特徴した操作パネル。
【請求項２】
電子機器に装着される表面に印刷シートをインサート成型した操作部と、前記操作部を取り付けるための操作パネル受けとを備え、前記操作部と操作パネル受けの接する面に、リブと前記リブの２倍以上幅の溝を設け、前記溝の内側に更に小溝を設けることにより、水の浸入を防ぐ構造を特徴した請求項１の操作パネル。
【請求項３】
加熱室と、前記加熱室の開口部前面に設けた開閉扉とを備え、前記開閉扉の前面に請求項１または２に記載の操作パネルを配設した高周波加熱調理器。
【発明の詳細な説明】
【技術分野】
【０００１】
本発明は電子機器における操作部を構成する操作パネルの構成に関するものである。
【背景技術】
【０００２】
近年、電子レンジ、炊飯器などの家電製品をはじめ、携帯電話などの情報機器にいたるまで電子機器の操作部には、印刷シートと成型樹脂とを一体化し、印刷シートを表面にくるように形成したインサート成型品が広く用いられるようになり、その固定方法もツメ勘合方式やネジ止め方式等のように多くの方式が行われている。
【０００３】
しかし、多くの機器において、操作部と操作パネル受けの隙間よりの、水の浸入を防ぐ為にインサート成型品の操作部とその操作部と接する操作パネル受けの間に、独立発砲クッションゴムや両面テープ等のシール部材１７を用いて水の浸入を防ぐ構造を行っていた（例えば、特許文献１参照）。
【特許文献１】特開昭６１−２８２７２３号公報
【発明の開示】
【発明が解決しようとする課題】
【０００４】
しかしながら、前記従来の対策では、独立発砲クッションゴムを用いた場合は操作ボタンを押した時の操作力がインサート成型品の操作部と操作パネル受けの隙間が独立発砲クッションゴムの厚みや硬さのバラツキで大きく変化し違和感を覚えることになる。また、両面テープを使用した場合は操作力のばらつきによる違和感は少ないが、組立て時の不具合等の修正や市場でのサービス時にインサート成型品の操作部の取り外し時に、部品の破損や両面テープが残ったりして非効率的な作業が必要となる。また、インサート成型品の操作部と操作部受けの間にリブと溝を設けただけの構造では、操作部と操作パネル受けの隙間から浸入した水が毛細管現象により内側に浸入し、操作基板等に付着し接触不良を起こす原因になるという課題を有していた。
【０００５】
本発明は、前記従来の課題を解決するもので、インサート成型品の操作部と操作パネル受けの隙間からの水の浸入を防ぐと共に、操作ボタンの操作力の違和感を解消し、組立て時の不具合等の修正や市場でのサービス時にインサート成型品の操作部の取り外し時に、部品の破損やシール部材が残ったりして除去等に非効率的な作業の解消を目的とするものである。
【課題を解決するための手段】
【０００６】
前記従来の課題を解決するために、本発明の操作パネルは、表面に印刷シートをインサート成型した操作部と、前記操作部を取り付けるための操作パネル受けと、前記操作部と前記操作パネル受けの接する面に、リブと前記リブの２倍以上幅の溝を設けることにより、水の浸入を防ぐ構造としたものである。
【０００７】
上記発明によれば、前記操作部と前記操作パネル受けの隙間から浸入した水が毛細管現象にて内側に進行するが前記リブと前記リブの２倍以上幅の溝で設けられた空間により、毛細管現象が抑えられる。さらに前記リブの２倍以上幅の溝が排水経路となり水が排水されて、前記リブの２倍以上幅の溝より内側の操作基盤への水の浸入を防ぐことが可能となる。
【発明の効果】
【０００８】
本発明の操作パネルによれば、操作部と操作パネル受けの接する面にリブとリブの２倍
以上幅の溝を設けることにより、操作部と操作パネル受けの隙間から水の浸入を防ぐことができる。また、操作部と操作パネル受けの間にシール用部材が無いことにより、操作ボタンの操作力の安定すると共に、組立て時の不具合等の修正や市場でのサービス時にインサート成型品の操作部の取り外し時に、部品の破損やシール部材の除去等の非効率的な作業の解消することかできる。
【発明を実施するための最良の形態】
【０００９】
第１の発明は、電子機器に装着される表面に印刷シートをインサート成型した操作部と、前記操作部を取り付けるための操作パネル受けとを備え、前記操作部と前記操作パネル受けの接する面に、リブと前記リブの２倍以上幅の溝を設けることにより、操作パネルの隙間から水の浸入を防ぐことができる。
【００１０】
第２の発明は、電子機器に装着される表面に印刷シートをインサート成型した操作部と、前記操作部を取り付けるための操作パネル受けとを備え、前記操作部と操作パネル受けの接する面に、リブと前記リブの２倍以上幅の溝を設け、その溝の内側に更に小溝を設けることにより、水の浸入を防ぐことができると共に前記小溝のエッジ部により水がつたい導かれことで、排水経路とすることが可能になる。
【００１１】
第３の発明は、特に第１または２の発明の操作パネルを、加熱室と、前記加熱室の開口部前面に設けた開閉扉とを備え、前記開閉扉の前面に操作パネルを配設し、前記開閉扉の開閉時においても、操作パネルの隙間から水の浸入を防ぐことができる、高周波加熱調理器の操作パネルができる。
【００１２】
以下、本発明の実施の形態について、図面を参照にしながら説明する。なお、この実施の形態によって本発明が限定されるものではない。
【００１３】
（実施の形態１）
図１は、本発明の実施形態における高周波加熱調理器の外観図、図２は同調理器装置の加熱室の開閉扉を開いた状態で、加熱室内を前面から見た時の概略構成図、図３は同調理器の開閉扉の正面図、図４は図３記載のＡ−Ａ線における断面図、図５は図３記載のＢ−Ｂ線における実施例１の断面図、図６は図５に記載のＣ部の部分詳細図ある。
【００１４】
図１、図２においては、本発明に係る操作パネルを用いた高周波加熱調理器１は、食材の加熱調理に高周波加熱を使用するもので、食材等の被加熱物を収容する加熱室２と加熱室２に高周波を出力する高周波発生手段（図示略）を備え、高周波加熱により被加熱物を加熱処理する。高周波発生手段（図示略）を含む機械室３は加熱室２の底面に設置され、また、加熱室２は、前面開放の箱形の本体ケース４内部に形成されており、本体ケース４の前面に、加熱室２の被加熱物取出口を開閉する開閉扉５が設けられている。開閉扉５は、本体ケース４にヒンジ結合されることで、上下方向に開閉可能となっており、上部に装備された取っ手６を掴んで手前に引くことによって、図２に示す開閉扉５を開いた状態にすることができる。図３に示すように、開閉扉５の前面に操作パネル７は組み込まれており、外観上は操作部８、操作部押さえ９により構成されている。図４に示す操作パネル７は、操作部８の操作部押さえ９と隣接する端面においては延出部１０を設け、延出部１０を操作部押さえ９で押さえこむ構成されているが、それらは開閉扉５の筐体に設けた操作パネル受け１１ａに組み込み設置されている。
【００１５】
ここで操作部８は透明樹脂をインサート成型した樹脂成型品であり、インサート成型用の印刷シートは透明樹脂の表面にインサート成型を施したものである。また、操作部８の背面には操作部受け１２が設置され、操作パネル受け１１に固定されている。さらに操作部受け１２は操作基板１３とも固定されている。図５、図６に示すように、操作部８にリ
ブ１４と操作パネル受け１１に設けたリブ１４の２倍以上幅の溝１５を備えた構造とすることにより、操作部８と操作パネル受け１１の隙間から進入した水が毛細管現象で進行するが、操作部８に設けたリブ１４と操作パネル受け１１に設けたリブ１４の２倍以上幅の溝１５により設けられた空間により毛細管現象が解消し溝１５の内側の操作基板１３への水の浸入が防がれる。
【００１６】
（実施の形態２）
図７は、本発明の実施の形態例２の操作パネルを示す。図７は図３記載のＢ−Ｂ線における断面図、図８は図６に記載のＤ部の部分詳細図である。図７、図８に示すように、操作部８にリブ１４と操作パネル受け１１に設けたリブ１４の２倍以上幅の溝１５と溝１５の内側に更に小溝１６を備えた構造とすることにより、操作部８と操作パネル受け１１の隙間から進入した水が毛細管現象で進行するが、操作部８に設けたリブ１４と操作パネル受け１１に設けたリブ１４の２倍以上幅の溝１５により設けられた空間により毛細管現象が解消し、小溝１６のエッジ部により水がつたい導かれことで排水経路とすることが可能になり、溝１５の操作基盤側への水の浸入が防がれる。
【００１７】
なお、前記実施の形態において、高周波加熱調理器の操作パネルとして述べたが、高周波加熱調理器に限定されるものではなく、操作パネルを有する他の電子機器においても同様の効果が得られるものである。
【産業上の利用可能性】
【００１８】
以上のように、本発明に関わる操作パネルは、操作部と操作パネル受けの隙間から浸入する水を防ぐことができる。また、操作部と操作パネル受けの間にシール用部材が無いことにより、操作ボタンの操作力の安定し均一な操作力と操作性を提供すると共に、組立て時の不具合等の修正や市場でのサービス時にインサート成型品の操作部の取り外し時に、部品の破損やシール部材の除去等の非効率的な作業の解消することが可能なるため、家電用品や音響製品等の電子機器の操作パネル等に広く適用可能である。
【図面の簡単な説明】
【００１９】
【図１】高周波加熱調理器の外観図
【図２】高周波加熱調理器の開閉扉を開いた状態を示した正面図
【図３】高周波加熱調理器の開閉扉の正面図
【図４】図３に記載のＡ−Ａ線における断面図
【図５】図３に記載のＢ−Ｂ線における本発明の実施の形態１を示す断面図
【図６】図５に記載のＣ部の部分詳細図
【図７】図３に記載のＢ−Ｂ線における本発明の実施の形態２を示す断面図
【図８】図７に記載のＤ部の部分詳細図
【図９】図３に記載のＢ−Ｂ線における従来の形態を示す断面図
【図１０】図９に記載のＥ部の部分詳細図
【符号の説明】
【００２０】
１  高周波加熱調理器
５  開閉扉
７  操作パネル
８  操作部
１１  操作パネル受け
１４  リブ
１５  溝
１６  小溝
【図１】
2007139306.tif 000003
【図２】
2007139306.tif 000004
【図３】
2007139306.tif 000005
【図４】
2007139306.tif 000006
【図５】
2007139306.tif 000007
【図６】
2007139306.tif 000008
【図７】
2007139306.tif 000009
【図８】
2007139306.tif 000010
【図９】
2007139306.tif 000011
【図１０】
2007139306.tif 000012